(57)【特許請求の範囲】
【請求項１】
移動パネルの上端部に装着し、吊車からの吊りボルトの雄ねじ部に連結する支持ブロックと、該支持ブロックに着脱自在に付設するロック金具とを備えてなり、前記支持ブロックは、移動パネルの上端部の押出形材のフレーム材に移動自在に挿入し、セットボルトを介して固定する一方、前記ロック金具は、水平の拘束部の一端に垂直の取付部を付設し、一対の突出部を前記拘束部の先端に形成し、前記取付部を前記支持ブロックの一方の端面にねじ止めして前記突出部を吊りボルトの角柱部に係合させることにより前記支持ブロック上において吊りボルトを回転不能に拘束することを特徴とする吊りボルトの緩み止め装置。
【請求項２】
前記ロック金具は、前記支持ブロック、拘束部の間に隙間を設け、該隙間内に前記雄ねじ部、角柱部の境界を配置することを特徴とする請求項１記載の吊りボルトの緩み止め装置。
【請求項３】
前記セットボルトには、前記フレーム材の上部の内向きの溝に係合する角座金を付属させることを特徴とする請求項１または請求項２記載の吊りボルトの緩み止め装置。
【請求項４】
前記ロック金具は、前記角座金を係合させる前記フレーム材の溝に対し、前記拘束部の左右の側端部を係合させることを特徴とする請求項３記載の吊りボルトの緩み止め装置。
【発明の詳細な説明】
【技術分野】
【０００１】
この発明は、移動パネル用の吊りボルトの緩みを有効に防止することができる吊りボルトの緩み止め装置に関する。
【背景技術】
【０００２】
移動間仕切り用の移動パネルは、たとえば部屋の天井部に設置するガイドレール内の吊車から垂下する吊りボルトを介して吊下されており、吊りボルトは、ロックナットを介して緩み止めするのが普通である。
【０００３】
しかし、吊りボルトの緩み止め用のロックナットは、取付方により回転操作が容易でない場合が少なくない。そこで、回り止め用の座金を利用する吊りボルトの緩み止め機構が提案されている（特許文献１）。このものは、吊りボルトに対して相対回転不能の座金を組み合わせ、吊りボルトをねじ込むソケットの上面において座金を回転不能に拘束することにより、座金を介して吊りボルトを緩み止めすることができる。
【特許文献１】特開２０００−３１００８４号公報
【発明の開示】
【発明が解決しようとする課題】
【０００４】
かかる従来技術によるときは、座金は、吊りボルトに対して相対回転しないように、たとえば非円形断面の吊りボルトに適合する孔を設け、この孔に吊りボルトを挿通させるから、吊りボルトに移動パネルを連結するに際して、あらかじめ吊りボルトと一体にして作業しなければならず、組立作業が極めて煩雑であるという問題が避けられなかった。吊りボルトに移動パネルを連結するとき、吊りボルトを締付け方向に回転させなければならないのに、吊りボルトと一体の座金は、吊りボルトの回転を阻止し、作業の進行を著るしく阻害するからである。
【０００５】
そこで、この発明の目的は、かかる従来技術の問題に鑑み、吊りボルトと別体のロック金具を用いることによって、組立作業を含む一連の作業を妨げるおそれがない吊りボルトの緩み止め装置を提供することにある。
【課題を解決するための手段】
【０００６】
かかる目的を達成するためのこの発明の構成は、移動パネルの上端部に装着し、吊車からの吊りボルトの雄ねじ部に連結する支持ブロックと、支持ブロックに着脱自在に付設するロック金具とを備えてなり、支持ブロックは、移動パネルの上端部の押出形材のフレーム材に移動自在に挿入し、セットボルトを介して固定する一方、ロック金具は、水平の拘束部の一端に垂直の取付部を付設し、一対の突出部を拘束部の先端に形成し、取付部を支持ブロックの一方の端面にねじ止めして突出部を吊りボルトの角柱部に係合させることにより支持ブロック上において吊りボルトを回転不能に拘束することをその要旨とする。
【０００７】
なお、ロック金具は、支持ブロック、拘束部の間に隙間を設け、隙間内に雄ねじ部、角柱部の境界を配置することができる。
【０００８】
また、セットボルトには、フレーム材の上部の内向きの溝に係合する角座金を付属させてもよく、ロック金具は、角座金を係合させるフレーム材の溝に対し、拘束部の左右の側端部を係合させてもよい。
【発明の効果】
【０００９】
かかる発明の構成によるときは、支持ブロックは、吊りボルトの雄ねじ部をねじ込んで連結することにより、吊りボルトを介して吊車により移動パネルを移動自在に吊り下げて支持することができる。吊りボルトは、吊車から垂下しており、吊車は、たとえば部屋の天井部に設置するガイドレール内に移動走行自在に収納されているからである。一方、支持ブロックに付設するロック金具は、支持ブロック上において吊りボルトを回転不能に拘束することにより、吊りボルトの回転を阻止し、吊りボルトを緩み止めすることができる。なお、ロック金具は、支持ブロックに対して着脱自在であるから、たとえば支持ブロックを吊りボルトに連結するとき、吊りボルトを締め直しするときなど、吊りボルトを回転させる必要があるときは、支持ブロックからロック金具を取り外し、吊りボルトを回転自在に解放することにより、一連の作業に支障を生じるおそれがない。
【００１０】
なお、ここでいう移動パネルとは、移動間仕切り用の移動パネルの他、いわゆる吊り戸を含むものとする。また、吊車のローラは、垂直回転形、水平回転形のいずれであってもよく、吊車に搭載するローラの数も、１個であってもよく、２個以上であってもよい。さらに、ロック金具による吊りボルトの拘束位置は、支持ブロックの上面に一致させてもよく、支持ブロックの上面から適当な距離だけ上方であってもよい。
【００１１】
ロック金具は、一対の突出部を介して吊りボルトの角柱部に係合させることにより、吊りボルトを回転不能に拘束することができる。なお、吊りボルトの角柱部は、円形断面の吊りボルトを軸対称に２面または４面の平行平面によって切除する形態が好ましく、切除後の角部に円弧状の外形が残存していてもよい。
【００１２】
支持ブロックは、移動パネルの上端部のフレーム材に移動自在に挿入することにより、吊りボルトによる移動パネルの吊下げ位置を任意に移動調節することができる。なお、押出形材のフレーム材は、たとえばガラス板やプラスチック板による薄板状の移動パネルに特に好適に使用することができる。
【発明を実施するための最良の形態】
【００１３】
以下、図面を以って発明の実施の形態を説明する。
【００１４】
吊りボルトの緩み止め装置は、支持ブロック１１とロック金具１２とを組み合わせてなる（図１）。
【００１５】
吊りボルト２１は、吊車２０から垂下されている。吊車２０は、２段の水平回転形のローラ２２、２２を有し、部屋の天井部Ｃに設置するガイドレールＧＲ内に移動走行自在に収納されている（図２）。
【００１６】
支持ブロック１１は、フレーム材３１を介して移動パネル３０の上端部に装着されている。移動パネル３０は、透明なガラス板またはプラスチック板の板材３２の上縁に沿って押出形材のフレーム材３１を付設して構成されている。ただし、板材３２の下縁、左右の両側縁にも、それぞれ図示しない保護用のフレーム材を付設してもよい。フレーム材３１、板材３２は、接着剤３３、３３を介して接合されており、フレーム材３１の上端面には、左右の可撓性のシール材３４、３４が上向きに付設されている。
【００１７】
吊りボルト２１の下端部には、雄ねじ部２１ａが形成されている（図１）。また、支持ブロック１１には、雄ねじ部２１ａに適合する雌ねじ１１ａが形成されている。そこで、支持ブロック１１は、雄ねじ部２１ａを雌ねじ１１ａにねじ込むことにより、吊りボルト２１の雄ねじ部２１ａに連結されている。
【００１８】
支持ブロック１１には、セットボルト１３用の雌ねじ１１ｂが併せて形成されており、セットボルト１３には、角座金１３ａが付属している。支持ブロック１１は、フレーム材３１に移動自在に挿入し（図３、図４）、角座金１３ａをフレーム材３１の上部の内向きの溝３１ａ、３１ａに係合させてセットボルト１３を締め付けることにより、フレーム材３１の長さ方向の任意の位置に固定することができる。
【００１９】
なお、支持ブロック１１は、吊りボルト２１を垂下する吊車２０とともに、図２、図４の各紙面に垂直な移動パネル３０の幅方向、すなわちフレーム材３１の長さ方向に前後一対を装着するものとする。そこで、移動パネル３０は、前後の吊車２０、２０を介して、ガイドレールＧＲに沿って移動自在に吊下されている。
【００２０】
ロック金具１２は、水平の拘束部１２ａの一端に垂直の取付部１２ｂを一体に付設して構成されている（図１、図３）。拘束部１２ａの先端には、一対の突出部１２ｃ、１２ｃが形成されており、突出部１２ｃ、１２ｃは、吊りボルト２１の中間の角柱部２１ｂを収納するようにして、両外側から角柱部２１ｂに係合させることができる（図１の二点鎖線、図５）。
【００２１】
ただし、角柱部２１ｂは、雄ねじ部２１ａの上方に形成されており、円形断面の吊りボルト２１の表面に軸対称の平行平面２１ｃ、２１ｃ…を形成することにより、角部に小さな円弧部２１ｄ、２１ｄ…を残す正方形断面に形成されている。また、各突出部１２ｃの先端部、基部は、それぞれ内側の角部が円弧状に丸められている。ロック金具１２は、取付部１２ｂを貫通する止めねじ１２ｄを介し、支持ブロック１１の一方の端面にねじ止めされている。また、ロック金具１２は、支持ブロック１１とともにフレーム材３１内に挿入するとき、拘束部１２ａの左右の側端部をフレーム材３１の溝３１ａ、３１ａに係合させるものとする（図２）。
【００２２】
吊りボルト２１は、ロック金具１２を支持ブロック１１に取り付けないとき、支持ブロック１１に対して相対回転自在である。すなわち、吊りボルト２１は、雄ねじ部２１ａを支持ブロック１１の雌ねじ１１ａにねじ込んで回転させ、吊車２０を介してガイドレールＧＲから吊下する移動パネル３０の高さを調節することができる。また、吊りボルト２１は、止めねじ１２ｄを介してロック金具１２を支持ブロック１１に取り付け、突出部１２ｃ、１２ｃを吊りボルト２１の角柱部２１ｂに係合させることにより、支持ブロック１１に対して相対回転不能に拘束され、確実に緩み止めすることができる。
【００２３】
なお、吊りボルト２１は、たとえば左右のシール材３４、３４の一方または双方を取り外し、止めねじ１２ｄを外してロック金具１２を支持ブロック１１から分離させることにより、たとえば角柱部２１ｂにスパナを掛けて容易に締め直し、移動パネル３０の高さを再調節することができる。そこで、ロック金具１２は、支持ブロック１１、拘束部１２ａの間に適切な隙間ｄを設け（図３）、隙間ｄ内に雄ねじ部２１ａ、角柱部２１ｂの境界を配置するものとする。
【００２４】
以上の説明において、吊車２０は、水平回転形に代えて、垂直回転形のローラ２２を搭載してもよく、吊車２０上のローラ２２は、１個でもよく、２個以上であってもよい。また、吊りボルト２１の角柱部２１ｂは、図５のように、雄ねじ部２１ａの最大外径を平行平面２１ｃ、２１ｃの間隔に一致させてもよく、これに代えて、雄ねじ部２１ａの最大外径を円弧部２１ｄ、２１ｄ…の外径に一致させ、円弧部２１ｄ、２１ｄ…の表面にも雄ねじ部２１ａのねじを延長して形成してもよい。後者によれば、吊りボルト２１は、雄ねじ部２１ａに加えて、角柱部２１ｂをも支持ブロック１１の雌ねじ１１ａにねじ込むことができ、ロック金具１２の拘束部１２ａと支持ブロック１１との隙間ｄ＝０に設定することも可能である。
【００２５】
なお、この発明は、フレーム材３１、板材３２による薄板状の移動パネル３０に限らず、たとえば枠状の構造材の内部にペーパハニカムの芯材を組み込み、両面に表面材を貼着する形式の移動パネルや、吊りボルト２１付きの吊車２０を介して吊下する吊り戸に対しても、広く好適に適用することができる。
【図面の簡単な説明】
【００２６】
【図１】全体構成分解斜視図
【図２】図１のＸ1 矢視相当の使用状態説明図
【図３】図１のＸ2 矢視相当の模式組立説明図
【図４】図１のＸ3 矢視相当の使用状態説明図
【図５】図３のＹ−Ｙ線矢視相当拡大断面図
【符号の説明】
【００２７】
１１…支持ブロック
１２…ロック金具
１２ｂ…取付部
１２ｃ…突出部
１３…セットボルト
２０…吊車
２１…吊りボルト
２１ａ…雄ねじ部
２１ｂ…角柱部
３０…移動パネル
３１…フレーム材
特許出願人          小松ウオール工業株式会社
代理人  弁理士                松  田  忠  秋
【図１】
0005134344.tif 000002
【図２】
0005134344.tif 000003
【図３】
0005134344.tif 000004
【図４】
0005134344.tif 000005
【図５】
0005134344.tif 000006